(57)【要約】【課題】  アルカリ溶出物や接着剤による化学的な劣化を防止可能であり、きしみ音が発生し難い軒樋吊具用保護カバーを提供する。【解決手段】  軒樋吊具３の上部及び側部を覆うように配設される軒樋吊具用保護カバー１であって、耐アルカリ性且つ耐溶剤性を有する材料（好ましくは、ポリ塩化ビニル、ポリエチレンテレフタレート、ポリメチルメタクリレート、アクリル−ＥＰＤＭ−スチレン共重合体、ポリプロピレンから選ばれる少なくとも１種）からなり、軒樋２の耳部２２に嵌合され軒樋２の熱伸縮に追従可能であることを特徴とする。【選択図】  図１
2005344353.tif 000002
【特許請求の範囲】
【請求項１】
ポリカーボネート製の軒樋吊具の上部及び側部を覆うように配設される軒樋吊具用保護カバーであって、耐アルカリ性且つ耐溶剤性を有する材料からなり、軒樋の耳部に嵌合され軒樋の熱伸縮に追従可能であることを特徴とする軒樋吊具用保護カバー。
【請求項２】
耐アルカリ性且つ耐溶剤性を有する材料が、ポリ塩化ビニル、ポリエチレンテレフタレート、ポリメチルメタクリレート、アクリル−ＥＰＤＭ−スチレン共重合体、ポリプロピレンから選ばれる少なくとも１種からなることを特徴とする請求項１記載の軒樋吊具用保護カバー。
【発明の詳細な説明】
【技術分野】
【０００１】
本発明は軒樋吊具用保護カバーに関する。
【背景技術】
【０００２】
近年、軒樋吊具としてポリカーボネート製吊具が多用されている。このポリカーボネート製吊具は、耐候性に優れ、例えばステンレス鋼製樋吊等に比較して軽量であるという特徴を有している。しかし、反面、ポリカーボネート製吊具は、化学的な安定性が必ずしも十分ではなく、使用環境によっては化学的な材料劣化が起こり、クラックが発生し易くなるなど強度低下の問題があった。
【０００３】
一般に、ポリカーボネートは射出成形法などが用いられて成形されるが、上記の問題を解決するため、通常成形後に加熱熟成（以下、「アニーリング」ともいう）などの方法により、成形品に内在する残留応力を緩和する方法が採られることがある。
【０００４】
また、特許文献１には、上記問題点に関し可塑剤に対する対策として、水平片と該水平片の外側端部からほぼ下方に垂下される垂下片とからなる防水板材を可塑剤が添加された塩化ビニルで形成し、軒先部外方に下側に雨樋が吊下げられるポリカーボネートで形成した雨樋吊具を取着し、防水板材を垂下片が軒先部の上面の外側端部より垂下されてその下端部が雨樋吊具の直ぐ真上に位置するように水平片を軒先部上面に取着して防水板材を軒先部に敷設し、雨樋吊具の上記敷設された防水板材の垂下片の下端部の真下に位置する部位に該雨樋吊具と防水板材の垂下片とが接触するのを阻止すると共に防水板材から流下する可塑剤が雨樋吊具に付着するのを阻止する可塑剤が添加されない合成樹脂で形成されるカバー部材を着脱自在に雨樋吊具に設けて成ることをカバー部材付き雨樋吊具が開示されている。
【特許文献１】特開２００３−０４９１５号公報
【発明の開示】
【発明が解決しようとする課題】
【０００５】
しかし、本発明者の検討によれば、上記アニーリングによる方法では、成形時の生産性が劣る問題や特定の装置を要する問題があるとともに、必ずしも十分なクラック防止効果が得られない場合もあった。
【０００６】
また、特許文献１に開示の雨樋吊具では、ポリカーボネート製の雨樋吊具全体がカバー部材にて覆われていないので、雨水が瓦屋根に作用して発生するアルカリ溶出物や、吊具周りの接着剤による化学的な劣化を防止することが出来ないという問題がある。また、カバー部材を雨樋吊具に取り付けることによって、樋の熱伸縮時にカバー材が吊具と共に変形することに起因する、所謂きしみ音が発生しやすくなるという問題があった。
【０００７】
本発明の目的は、上記従来の問題点に鑑み、必ずしも吊具をアニーリングする必要がなく、アルカリ溶出物や接着剤による化学的な劣化を防止可能であり、きしみ音が発生し難い軒樋吊具用保護カバーを提供することにある。
【課題を解決するための手段】
【０００８】
請求項１記載の軒樋吊具用保護カバーは、ポリカーボネート製の軒樋吊具の上部及び側部を覆うように配設される軒樋吊具用保護カバーであって、耐アルカリ性且つ耐溶剤性を有する材料からなり、軒樋の耳部に嵌合され軒樋の熱伸縮に追従可能であることを特徴とする。
【０００９】
請求項２記載の軒樋吊具用保護カバーは、請求項１記載の軒樋吊具用保護カバーであって、耐アルカリ性且つ耐溶剤性を有する材料が、ポリ塩化ビニル、ポリエチレンテレフタレート、ポリメチルメタクリレート、アクリル−ＥＰＤＭ−スチレン共重合体、ポリプロピレンから選ばれる少なくとも１種からなることを特徴とする。
【発明の効果】
【００１０】
本発明によれば、雨水が瓦屋根に作用して発生するアルカリ溶出物や、吊具周りに用いられた接着剤に含有される有機溶剤によって、ポリカーボネートが化学的に侵されることを防止できるとともに、軒樋の耳部に嵌合され軒樋の熱伸縮に追従して移動することができるので、きしみ音が発生し難いものとなる。
【００１１】
上記軒樋吊具用保護カバーの材料が、ポリ塩化ビニル、ポリエチレンテレフタレート、ポリメチルメタクリレート、アクリル−ＥＰＤＭ−スチレン共重合体、ポリプロピレンから選ばれる少なくとも１種からなるものであると、上記効果は更に確実なものとなる。
【発明を実施するための最良の形態】
【００１２】
以下、本発明の実施形態を図面に基づいて説明する。
図１は、本発明の軒樋吊具用保護カバーの一例を使用状態とともに示す模式斜視図であり、図２は本発明の軒樋吊具用保護カバーの一例を側面側から使用状態とともに例示する説明図である。
【００１３】
本発明の軒樋吊具用保護カバーは、図１及び図２に例示するように、軒樋２に取り付けられ、軒樋２を支える吊具３（図中想像線で示している）の上部及び側部を覆うように配設される軒樋吊具用保護カバー１である。この軒樋吊具用保護カバー１は上面部５及び側面部４，４を有し、軒樋２と接する部分には切欠き４１が設けられている。この切欠き４１は図示するように、軒樋２の後耳部及び後側壁の部分が入り込むこむ形状になっている。また、軒樋吊具用保護カバー１の上面部５は僅かに軒樋の長手方向に傾斜するように吊具３の上部を覆っている。
【００１４】
上記上面部５が軒樋の長手方向が僅かに傾斜していると、降水時の雨水が軒樋内に流れ込みやすい点で好ましい。また、上面部５の中央部近傍が凹んだ状態になるように上面部５が中央部に向かって傾斜するものであってもよく、中央部近傍に、本発明の効果を損なわない範囲で小さな孔が開けられていてもよい。
【００１５】
上記軒樋吊具用保護カバー１の後側面６（建物側）及び前側面７には、吊具３と接する部分に切欠き部６１及び７１が設けられ、吊具３の上部及び側部を覆う形状とされている。
【００１６】
また、本発明の軒樋吊具用保護カバー１は、図示するように、軒樋吊具用保護カバー１の前側面７に設けられた複数の係止部１１，１１によって、軒樋２の前耳部２２の内側の凹部に嵌合されて固定され、軒樋吊具用保護カバー１が軒樋２の熱伸縮に追従して軒樋の長手方向に移動可能とされている。このため、保護カバー１が変形することに起因する、所謂きしみ音の発生を抑制することができる。
【００１７】
上記軒樋吊具用保護カバー１の材料は、耐アルカリ性と耐溶剤性とを有する材料からなり、具体的には、ポリ塩化ビニル、ポリエチレンテレフタレート、ポリメチルメタクリレート、アクリル−ＥＰＤＭ−スチレン共重合体、ポリプロピレンから選ばれる少なくとも１種からなることが好ましい。
【００１８】
通常、瓦屋根に雨水が降水する場合、瓦と接触することによりアルカリ溶出物が発生しポリカーボネートの劣化を促進しやすくなり、更に、吊具３やその他の吊具周りの部材に用いられる接着剤には、通常有機溶剤が含有されるため、この有機溶剤の作用によってもポリカーボネートの劣化が促進されやすくなるため、上記の材料が好適に用いられる。
【図面の簡単な説明】
【００１９】
【図１】本発明の軒樋吊具用保護カバーの一例を使用状態とともに示す模式斜視図である。
【図２】本発明の軒樋吊具用保護カバーの一例を側面側から使用状態とともに例示する説明図である。
【符号の説明】
【００２０】
１  軒樋吊具用保護カバー
２  軒樋
３  吊具
４  側面部
５  上面部
６  後側面
７  前側面
１１  係止部
２１  後耳部
２２  前耳部
４１，６１，７１  切欠き部
【図１】
2005344353.tif 000003
【図２】
2005344353.tif 000004